(57)【特許請求の範囲】
【請求項１】
画像表示器と、
スピーカと、
画像表示器に演出画像を表示させるとともに、スピーカに演出音声を出力させる演出制御手段と、
遊技球を貯留する球受皿と、
該球受皿の満杯を検知する満杯検知センサと、
遊技球を前記球受皿に払い出す払出装置と、
入賞が発生すると規定数の遊技球を払い出すように払出装置を制御し、且つ、満杯検知センサの満杯検知中は、払出装置を停止させ、入賞発生に基づいて払い出すべき遊技球数を、未払出球数として蓄積記憶する払出制御手段と、
該満杯検知センサの満杯検知中に、遊技者に前記球受皿の満杯解消を促す満杯エラー報知を実行する満杯エラー報知手段とを備えてなるパチンコ遊技機において、
満杯エラー報知手段は、満杯検知センサの満杯検知中に、未払出球数が所定個数増加する度に満杯エラー報知を実行するものであり、さらに、満杯エラー報知の実行間隔を規定する前記所定個数が段階的に小さくなるように設定されていることを特徴とするパチンコ遊技機。
【請求項２】
満杯エラー報知手段による前記満杯エラー報知は、満杯検知センサの満杯検知中に、前記画像表示器に、遊技者に前記球受皿の満杯解消を促す満杯エラー画像を、演出画像と同時に表示することによるものであることを特徴とする請求項１に記載のパチンコ遊技機。
【請求項３】
満杯エラー報知手段による前記満杯エラー報知は、満杯検知センサの満杯検知中に、スピーカに、遊技者に前記球受皿の満杯解消を促す満杯エラー音声を出力することによるものであることを特徴とする請求項１又は請求項２に記載のパチンコ遊技機。
【発明の詳細な説明】
【技術分野】
【０００１】
本発明は、遊技球を貯留する球受皿が満杯となったときに、遊技者に満杯解消を促す満杯エラー報知を実行するパチンコ遊技機に関する。
【背景技術】
【０００２】
従来のパチンコ遊技機は、賞球等の遊技球を、機体前面に設けられた球受皿に払い出すよう構成されている。ここで、少なくとも一つの球受皿には、遊技球で満杯になったことを検知する満杯検知センサが設けられており、当該球受皿が満杯となると、遊技球の払出しが停止して、遊技者に満杯解消を促す満杯エラー報知が実行される（例えば、特許文献１）。満杯エラー報知は、一般的に、遊技者に満杯解消を促す満杯エラー画像を画像表示器に表示したり、遊技者に満杯解消を促す満杯エラー音声をスピーカから出力したりすることにより実現される。
【先行技術文献】
【特許文献】
【０００３】
【特許文献１】特開２００９−１６５７５８号公報
【発明の概要】
【発明が解決しようとする課題】
【０００４】
ところで、満杯エラー報知は遊技演出と並行して実行されるため、満杯エラー報知が実行されると、遊技者は、演出画像や演出音声などの遊技演出を楽しみ難くなる。一方で、未払出球数が膨大となると、多量の遊技球を一度に払い出す必要が生じて球詰まりが発生し易くなるし、また、停電時の対応が煩雑にもなるため、球受皿から遊技球を排出するように遊技者を適切に促す必要がある。
【０００５】
本発明は、かかる現状に鑑みてなされたものであり、従来構成と比べて満杯エラー報知を適切に実行し得るパチンコ遊技機の提供を目的とする。
【課題を解決するための手段】
【０００６】
本発明は、画像表示器と、スピーカと、画像表示器に演出画像を表示させるとともに、スピーカに演出音声を出力させる演出制御手段と、遊技球を貯留する球受皿と、該球受皿の満杯を検知する満杯検知センサと、遊技球を前記球受皿に払い出す払出装置と、入賞が発生すると規定数の遊技球を払い出すように払出装置を制御し、且つ、満杯検知センサの満杯検知中は、払出装置を停止させ、入賞発生に基づいて払い出すべき遊技球数を、未払出球数として蓄積記憶する払出制御手段と、該満杯検知センサの満杯検知中に、遊技者に前記球受皿の満杯解消を促す満杯エラー報知を実行する満杯エラー報知手段とを備えてなるパチンコ遊技機において、満杯エラー報知手段は、満杯検知センサの満杯検知中に、未払出球数が所定個数増加する度に満杯エラー報知を実行するものであり、さらに、満杯エラー報知の実行間隔を規定する前記所定個数が段階的に小さくなるように設定されていることを特徴とするパチンコ遊技機である。ここで、パチンコ遊技機には、球受皿が上下二段に配設されるものがあるが、かかるパチンコ遊技機では、満杯検知センサが配設される下側の球受皿が、本発明に係る「球受皿」に相当する。
【０００７】
かかる構成にあっては、満杯エラー報知の実行間隔を規定する未払出球数の増加個数が段階的に小さくなり、これに伴って、遊技演出が満杯エラー報知に邪魔される頻度が高くなる。このため、遊技者は、球受皿が満杯になっても、しばらくの間は、満杯エラー報知を過度に気にすることなく遊技演出を楽しむことができる。一方で、遊技者は、球受皿の満杯解消を怠っていると、徐々に遊技演出を楽しみ難くなるから、本発明では、球受皿の満杯状態を長期間放置している遊技者に対しては、球受皿から遊技球を排出するよう強く促すことができる。
【０００８】
本発明の別の態様は、画像表示器と、スピーカと、画像表示器に演出画像を表示させるとともに、スピーカに演出音声を出力させる演出制御手段と、遊技球を貯留する球受皿と、該球受皿の満杯を検知する満杯検知センサと、遊技球を前記球受皿に払い出す払出装置と、入賞が発生すると規定数の遊技球を払い出すように払出装置を制御し、且つ、満杯検知センサの満杯検知中は、払出装置を停止させ、入賞発生に基づいて払い出すべき遊技球数を、未払出球数として蓄積記憶する払出制御手段と、該満杯検知センサの満杯検知中に、遊技者に前記球受皿の満杯解消を促す満杯エラー報知を実行する満杯エラー報知手段とを備えてなるパチンコ遊技機において、満杯エラー報知手段は、満杯検知センサの満杯検知中に、満杯エラー報知を時間経過に伴って繰返し実行するものであり、満杯エラー報知を実行する時間間隔が段階的に短くなるように設定されていることを特徴とするパチンコ遊技機である。
【０００９】
かかる構成にあっては、満杯エラー報知の実行間隔が段階的に短くなっていき、これに伴って、遊技演出が満杯エラー報知に邪魔される頻度が高くなる。このため、本構成によっても、球受皿が満杯になってからしばらくの間は、遊技者は、満杯エラー報知を過度に気にすることなく遊技演出を楽しむことができ、また、球受皿の満杯状態を長期間放置している遊技者に対しては、球受皿から遊技球を排出するよう強く促すことができる。
【００１０】
また、本発明にあって、満杯エラー報知手段による前記満杯エラー報知は、満杯検知センサの満杯検知中に、前記画像表示器に、遊技者に前記球受皿の満杯解消を促す満杯エラー画像を、演出画像と同時に表示することによるものである構成が提案される。かかる構成にあっては、球受皿の満杯中に満杯エラー画像の表示頻度が高くなるのに伴って、遊技者は、演出画像を視認し難くなって演出画像を楽しめなくなるから、球受皿の満杯状態が長引いた場合に、遊技者に、球受皿からの遊技球排出を強く促すことが可能となる。
【００１１】
また、満杯エラー報知手段による前記満杯エラー報知は、満杯検知センサの満杯検知中に、スピーカに、遊技者に前記球受皿の満杯解消を促す満杯エラー音声を出力することによるものである構成も提案される。かかる構成にあっては、球受皿の満杯中に満杯エラー音声の出力頻度が高くなるのに伴って、遊技者は演出音声を聞き取り難くなって、演出音声を楽しめなくなるから、球受皿の満杯状態が長引くほど、遊技者に、球受皿の満杯状態解消を強く要求することができる。
【００１２】
また、本発明にあって、満杯エラー報知手段は、満杯検知センサの満杯検知中にあって、満杯エラー報知を間隔をおいて複数回実行した後に、満杯エラー報知を間断なく繰り返すものである構成が提案される。すなわち、かかる構成にあっては、球受皿の満杯状態を放置しておくと、満杯エラー報知の実行間隔が徐々に短くなっていき、最終的には、満杯エラー報知が連続して実行される。したがって、かかる構成によれば、球受皿の満杯状態を極めて長期的に放置している遊技者に対して、満杯状態の解消を極めて強く促すことが可能となる。
【発明の効果】
【００１３】
以上に述べたように、本発明によれば、球受皿の満杯状態が続くにつれて、満杯エラー報知の実行頻度が高くなって遊技演出を楽しみ難くなっていくため、遊技者は、球受皿の満杯状態を長期間放置し難くなる。一方で、球受皿が満杯になってからしばらくの間は、満杯エラー報知の実行間隔が比較的長いため、球受皿の満杯状態を素早く解消すれば、遊技者は、満杯エラー報知によって遊技の興趣を大きく損なうことなく、遊技演出を楽しむことができる。
【図面の簡単な説明】
【００１４】
【図１】パチンコ遊技機１の斜視図である。
【図２】遊技盤１０の正面図である。
【図３】（ａ）は、パチンコ遊技機１の背面図であり、（ｂ）は、（ａ）のＡ部分の拡大図である。
【図４】遊技を制御する制御回路を示すブロック図である。
【図５】満杯エラー報知の実行態様を示すタイミングチャートである。
【図６】満杯エラー画像の表示態様を示す説明図である。
【図７】実施例２に係る満杯エラー報知の実行態様を示すタイミングチャートである。
【図８】実施例３に係る満杯エラー報知の実行態様を示すタイミングチャートである。
【発明を実施するための形態】
【００１５】
本発明の実施形態を、以下の実施例１〜４に従って説明する。なお、実施例２〜４は、実施例１の構成を一部変更したものであり、実施例１と構成の共通する部分については、実施例１と符号を共通させるとともに、詳細な説明を省略している。
【実施例１】
【００１６】
本実施例のパチンコ遊技機１は、図１に示すように、遊技島設備（図示省略）に固定される外枠２と、この外枠２の前面開口部を覆う遊技機本体３とからなる。遊技機本体３は、中央上部の略円形の開口部に遊技盤１０が取り付けられた前枠５を備え、この前枠５の一側縁がヒンジ部材４，４を介して外枠２に開閉可能に枢着されている。前枠５には、遊技盤１０を覆うガラス板６が設けられている。また、前枠５の下部には、二つの球受皿７，８が上下に列設されており、各球受皿７，８を臨む位置には、遊技球が払い出される球払出口２０，２１が夫々開口している。二つの球受皿７，８のうち、下側に設置された下部球受皿８の底部には、開閉可能な球抜孔２３が設けられており、遊技者は、下部球受皿８の手前側に設けられた球抜レバー２４を操作して球抜孔２３を開放することで、下部球受皿８の遊技球を機外に排出できる。また、前枠５には、右下部に発射ハンドル９が突設され、右上部にスピーカ１６が配設される。
【００１７】
図２は、遊技盤１０の正面図である。遊技盤１０の前面には、ガイドレール１１によって略円形の遊技領域１２が区画形成されている。遊技領域１２の中央には、各種遊技部材を組み込んだセンターケース１３が配設される。このセンターケース１３には、本発明に係る画像表示器１４が組み付けられている。画像表示器１４は、液晶表示器又はＣＲＴ表示器等からなり、その表示画面１９には各種の演出画像等が表示される。
【００１８】
また、センターケース１３の下部には、４個のＬＥＤ（発光ダイオード）からなる特別図柄表示装置１５が配設される。この特別図柄表示装置１５は、ＬＥＤの点灯態様によって特別図柄を表示するものであり、後述するように、所定契機によって、各ＬＥＤを点滅させることによって特別図柄が変動状態となり、点滅後にいずれかのＬＥＤが点灯することで特別図柄が停止表示状態となる。本実施例では、右側のＬＥＤが点灯した態様が当り態様、それ以外のＬＥＤが点灯した態様がハズレ態様と設定されており、特別図柄が当り態様で停止表示された場合に、いわゆる「大当り」となって後述の大当り遊技に移行する。
【００１９】
また、図２に示すように、センターケース１３の下方には、各種の入賞装置１７ａ〜１７ｄが配設されており、これらの入賞装置１７ａ〜１７ｄに設けられた入賞口に遊技球が入賞すると、入賞装置１７ａ〜１７ｄに内蔵された球検知スイッチが球検知信号を出力し、かかる球検知信号に基づいて所定数の賞球が払い出される。
【００２０】
また、パチンコ遊技機１の背面側には、図３（ａ）に示すように、遊技島から供給される遊技球を貯留する球タンク２５と、該球タンク２５から、球受皿７，８の球払出口２０，２１へ遊技球を流下させる球流下樋２６と、球流下樋２６に配設されて、球タンク２５側から流下する遊技球を球払出口２０，２１側へ送り出すことで、球受皿７，８に遊技球を払い出す払出装置２７とが設けられている。払出装置２７が送り出す遊技球は、上側の上部球受皿７に優先的に払い出され、上部球受皿７が満杯となると自然に下部球受皿８へ遊技球が払い出されることとなる。そして、球流下樋２６には、下部球受皿８の球払出口２１の直前位置に、下部球受皿８の満杯状態を検知する満杯検知センサ２８が配設される。この満杯検知センサ２８は、リミットスイッチからなり、下部球受皿８が満杯となった時に、球払出口２１の手前に滞留した遊技球を検知し、満杯検知信号を出力する。本実施例では、上下の球受皿７，８のうち、満杯検知センサ２８が配設された下部球受皿８が、本発明に係る球受皿に相当する。
【００２１】
かかるパチンコ遊技機１は、既存一般のパチンコ遊技機と同様の遊技内容を有している。すなわち、入賞装置１７ａに設けられた始動口に遊技球が入賞すると、特別図柄表示装置１５が点滅して特別図柄が変動表示され、一定時間経過後に変動表示が停止する。そして、変動停止した時の特別図柄の停止態様が所定の大当り態様であった場合には、大入賞口を備える入賞装置１７ｂが所定時間開閉作動する大当り遊技が実行されることとなる。
【００２２】
そして、上記画像表示器１４の表示画面１９には、遊技の進行に合わせて図柄やキャラクターなどの演出画像が表示される。例えば、特別図柄が変動表示されている間は、表示画面１９で演出図柄が変動表示され、時折リーチ演出画像や予告演出画像などが表示されることによって、遊技者の大当りへの期待感を盛り上げる。また、大当り遊技中には大当り用の演出画像が画像表示器１４に表示され、大当り遊技を盛り上げる。また、演出画像の表示と並行して、演出用ＬＥＤ（図示省略）が発光・点滅する。さらに、これらと並行するように、スピーカ１６から演出音声が逐次出力されることで、画像、光、音声などを組み合わせた盛大な演出が行われる。
【００２３】
次に、本実施例のパチンコ遊技機の遊技作動を制御する制御回路を、図４を参照して説明する。
【００２４】
マイクロコンピュータを構成する主制御基板６０には、パチンコ遊技機の遊技作動等を制御するための基板回路が設けられる。この主制御基板６０は、遊技の統括的な制御を実行するものである。この基板回路上には主制御用中央制御装置ＣＰＵが配設される。この主制御用中央制御装置ＣＰＵには、演算処理に用いる動作プログラムを格納する記憶装置ＲＯＭと、必要なデータを随時読み書きできる記憶装置ＲＡＭとが、データを読み書きするアドレスを指定する情報を一方的に伝えるアドレスバス（図示省略）と、データのやり取りを行うデータバス（図示省略）を介して接続され、主制御基板６０の基板回路を構成している。記憶装置ＲＯＭには、制御プログラムや、抽選乱数を参照して当落判定や図柄の変動・停止態様、演出態様等を決定するための各種テーブルが格納されている。
【００２５】
一方、記憶装置ＲＡＭには、各種球検知スイッチからの球検知信号等が一時的に記憶される記憶エリア、各種のタイマや乱数カウンタ、計数カウンタ等を構成するレジスタ領域、及びワークエリア等が設けられている。
【００２６】
さらに、この主制御基板６０の基板回路には、所定のクロックパルスを出力するクロック装置（図示省略）が設けられ、主制御用中央制御装置ＣＰＵに接続されている。そして主制御用中央制御装置ＣＰＵは、一定間隔のクロックパルスによって時系列的に演算処理を行い、一連の処理作動を順次実行する。また、このクロック装置により出力されたクロックパルスをカウントして、時間を計測するタイマＴＭも接続される。
【００２７】
ここで主制御用中央制御装置ＣＰＵ、及び後述する各制御基板６２〜６８に設置される各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。そして、この主制御用中央制御装置ＣＰＵは、所定の形式で生成した制御信号を三つの制御基板６２，６３，６４へ出力し、これらの制御基板６２，６３，６４の中央制御装置ＣＰＵがこの制御信号に従って所定の制御を処理実行することとなる。
【００２８】
また、この主制御基板６０の基板回路には、主制御用中央制御装置ＣＰＵが周辺機器とデータ通信を行う入力ポート（図示省略）及び出力ポート（図示省略）が設けられており、この出力ポートを介して主制御基板６０からの制御信号が、演出制御基板６２、図柄制御基板６３、及び払出制御基板６４の各入力ポートに向け、一方向に出力されるように接続されている。また、主制御基板６０の入力ポートや出力ポートには、盤面中継基板６１を介して、入賞装置１７ａ〜１７ｄ等が接続される。そして、主制御基板６０が２ｍｓごとに、これらに内蔵された各スイッチの遊技球検出状態を調べ、遊技球検出があると、その球検出信号が波形整形回路により波形整形されて主制御用中央制御装置ＣＰＵに入力され、その情報を記憶装置ＲＡＭに記憶する。また、主制御用中央制御装置ＣＰＵが所定の条件を選出した場合に、１７ａ〜１７ｄに内蔵されたソレノイドを作動させる。
【００２９】
上記の演出制御基板６２には、パチンコ遊技機１で実行される演出全般を制御するための基板回路が設けられる。この基板回路は、演出を制御処理する演出制御用中央制御装置ＣＰＵに、多岐にわたる演出態様に関する固定データが格納されている記憶装置ＲＯＭと、必要なデータを読み書きできる記憶装置ＲＡＭと、入力ポート及び出力ポートとが接続されて構成されている。演出制御基板６２の出力ポートには、画像表示器１４を制御する画像制御基板６５、スピーカ１６を制御する音源制御基板６６、及びＬＥＤランプによる演出を制御する光源制御基板６７が接続されている。そして、演出制御基板６２は、主制御基板６０からの制御信号が入力ポートに入力されると、演出制御用中央制御装置ＣＰＵにおいて演算処理し、該制御信号で指示された演出態様を実行するために、画像制御基板６５、音源制御基板６６、及び光源制御基板６７へ向けて制御信号を送信する。
【００３０】
上記の画像制御基板６５には、画像表示器１４の表示態様を制御するための基板回路が設けられる。この基板回路は、表示態様を制御処理する画像制御用中央制御装置ＣＰＵに、動作プログラムや画像データ等の固定データが格納されている記憶装置ＲＯＭと、描画領域等のデータを読み書きする領域が設けられた記憶装置ＲＡＭと、入力ポート及び出力ポートとが接続されて構成されている。画像制御基板６５は、演出制御基板６２から演出画像の表示に係る信号を受信し、また、払出制御基板６４から満杯エラー画像の表示に係る信号を受信する。画像制御基板６５は、これらの信号を受信すると、画像制御用中央制御装置ＣＰＵにおいて演算処理し、所要の演出画像や満杯エラー画像に係る画像データを記憶装置ＲＡＭに書き込んで一画面分の画像データを作成し、出力ポートを介して画像表示器１４に出力し、画像表示器１４の表示画面１９に、出力した画像データに係る画像を表出させる。
【００３１】
上記の音源制御基板６６には、スピーカから発生する効果音等を制御するための基板回路が設けられる。この基板回路は、音響を制御する音源制御用中央制御装置ＣＰＵに、動作プログラムや音声データ等の固定データが格納されている記憶装置ＲＯＭと、必要なデータを読み書きする記憶装置ＲＡＭと、入力ポート及び出力ポートとが接続されて構成されている。音源制御基板６６は、演出制御基板６２から演出音声の出力に係る信号を受信し、また、払出制御基板６４から満杯エラー音声の出力に係る信号を受信する。音源制御基板６６は、これらの信号を受信すると、所要の演出音声や満杯エラー音声に係る音声データを記憶装置ＲＡＭで展開・混合してスピーカ１６に送出し、スピーカ１６から出力させる。
【００３２】
上記の光源制御基板６７には、遊技機本体３に配設された多数の演出用ランプを制御するための基板回路が設けられている。この基板回路は、演出用ランプの点灯、点滅等を制御する光源制御用中央制御装置ＣＰＵに、動作プログラムや、演出ランプを所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この光源制御基板６７は、光源制御用中央制御装置ＣＰＵで、上記の演出制御基板６２から入力ポートを介して入力された制御信号を演算処理し、出力ポートを介して、各種の演出用ランプを点灯、点滅させる。
【００３３】
上記の図柄制御基板６３には、特別図柄表示装置１５を制御するための基板回路が設けられている。この基板回路は、特別図柄表示装置１５のＬＥＤの点灯、点滅等を制御する図柄制御用中央制御装置ＣＰＵに、動作プログラムや、ＬＥＤを所定の発光態様に従って発光させるための発光パターン等の固定データが格納されている記憶装置ＲＯＭと、必要なデータを読み書きする記憶装置ＲＡＭと、入力ポート及び出力ポートとが接続されて構成されている。この図柄制御基板６３は、図柄制御用中央制御装置ＣＰＵで、上記の主制御基板６０から入力ポートを介して入力された制御信号を演算処理し、所定の光データを、出力ポートを介して、特別図柄表示装置１５のＬＥＤを発光作動するドライバを配した図柄作動基板に出力し、この図柄作動基板が、各装置のＬＥＤを点灯、点滅させる。
【００３４】
上記の払出制御基板６４には、遊技球の払出しを制御するための基板回路が設けられている。この基板回路は、払出装置２７のソレノイドを作動して、賞球の供給を制御する払出制御用中央制御装置ＣＰＵに、動作プログラム、賞球の球数パターン等の固定データが格納されている記憶装置ＲＯＭと、球数カウントデータや未払出球数等の必要なデータを読み書きする記憶装置ＲＡＭと、入力ポート及び出力ポートとが接続されて構成されている。この払出制御基板６４は、主制御基板６０から入力される払出要求信号を払出制御用中央制御装置ＣＰＵで演算処理し、出力ポートを介して払出装置２７のソレノイドを作動して、規定数の賞球の払出しを実行する。また、払出制御基板６４には、下部球受皿８の奥に配設された満杯検知センサ２８が接続されており、下部球受皿８の満杯時には、満杯検知センサ２８から払出制御基板６４へ満杯検知信号が送信される。
【００３５】
払出制御基板６４の出力ポートには、発射制御基板６８が接続される。発射制御基板６８には、発射装置を制御するための基板回路が設けられている。この基板回路は、動作プログラム等が格納されている記憶装置ＲＯＭと、入出力信号等を一時的に記憶する記憶装置ＲＡＭと、入力ポート及び出力ポートとが接続されて構成されている。発射制御基板６８の入力ポートには、発射ハンドル９に内蔵された回動角度検知センサから発射ハンドル９の現在角度に応じた電圧信号が入力される。発射制御基板６８の出力ポートには発射装置が接続されており、発射制御基板６８は、発射ハンドル９からの入力信号に応じた電圧強度で、発射装置に内蔵されたロータリーソレノイドを間欠的に駆動することで、発射ハンドル９の現在角度に応じた強さで遊技球を立て続けに打圧発射する。
【００３６】
以上の制御回路にあって、本発明に係る演出制御手段は、主に、演出制御基板６２、画像制御基板６５、及び音源制御基板６６によって実現される。また、本発明に係る払出制御手段は、主に、主制御基板６０及び払出制御基板６４によって実現される。また、本発明に係る満杯エラー報知手段は、主に、払出制御基板６４、画像制御基板６５及び音源制御基板６６によって実現される。
【００３７】
以下に、本発明の要部に係る構成について説明する。
【００３８】
本実施例では、遊技中に入賞が発生すると、通常は、入賞の種類に応じた数の遊技球が賞球として球受皿７，８に払い出される。払出装置２７が送出する遊技球は、上述のように、上部球受皿７に優先的に払い出され、上部球受皿７が満杯となって遊技球が上部球受皿７に流入不能となると、下部球受皿８に払い出される。そして、下部球受皿８も満杯となると、遊技球の払出しが停止する。そして、下部球受皿８の満杯状態にあっては、遊技者に下部球受皿８からの遊技球排出を促す満杯エラー報知が時間を置いて繰返される。この満杯エラー報知は、画像表示器１４での満杯エラー画像表示によるものと、スピーカ１６からの満杯エラー音声出力によるものとの、二種類の報知態様によって実現される。
【００３９】
具体的には、入賞装置１７ａ〜１７ｄの入賞口に遊技球が入賞すると、球検知信号が主制御基板６０に送信され、主制御基板６０は、かかる球検知信号を受信すると、入賞の種類に応じた個数の遊技球を賞球として払い出すよう払出制御基板６４に払出要求信号を送信する。払出制御基板６４は、払出要求信号を受信すると、通常は、遅滞なく払出装置２７を作動させて、所要の個数の遊技球を球受皿７，８へ送出する。
【００４０】
一方、下部球受皿８の満杯時には、上述の満杯検知センサ２８が作動して、満杯が解消されるまで払出制御基板６４に満杯検知信号を送信し続ける。そして、払出制御基板６４は、満杯検知信号の受信中は、払出要求信号を受信しても、払出装置２７を作動させず、払出要求信号によって払出しを要求された遊技球数を「未払出球数」として記憶装置ＲＡＭに蓄積記憶する。
【００４１】
また、払出制御基板６４は、満杯検知センサ２８から満杯検知信号を継続受信している時間を計測するソフトタイマ（満杯期間タイマ）と、満杯エラー報知の実行タイミングを記憶した報知時間テーブルとを備えている。払出制御基板６４は、満杯検知センサ２８から満杯検知信号を受信すると、満杯期間タイマをスタートさせる。そして、満杯期間タイマが報知時間テーブルに記憶された時間となる度に、画像制御基板６５及び音源制御基板６６に向けて満杯エラー信号を送信するよう構成される。本実施例では、報知時間テーブルには、「０秒」，「１２０秒」，「１８０秒」，「２２０秒」，「２６０秒」，「２８０秒」，「３００秒」が設定されており、図５に示すように、払出制御基板６４は、満杯期間タイマがこれらの設定時間となる度にパルス状の満杯エラー信号を送信し、満杯期間タイマの値が３００秒を超えると満杯エラー信号を連続して送信し続ける。
【００４２】
そして、下部球受皿８の満杯状態が解消されて、満杯検知センサ２８が満杯検知信号の送信を停止すると、図５に示すように、払出制御基板６４は、満杯期間タイマをクリアして満杯エラー信号の送信を停止するとともに、画像制御基板６５及び音源制御基板６６に向けて満杯エラー解除信号を送信する。そして、払出制御基板６４は、払出装置２７を作動させて、未払出球数として蓄積記憶した個数の遊技球の払出しを開始する。
【００４３】
画像制御基板６５は、払出制御基板６４から満杯エラー信号を受信していない状態では、演出制御基板６２から送信される信号にしたがって、図６（ａ）に示すように、画像表示器１４の表示画面１９に演出画像３０を表示させる。一方、画像制御基板６５は、払出制御基板６４から満杯エラー信号を受信すると、図６（ｂ）に示すように、画像表示器１４に満杯エラー画像３１を表示させる。満杯エラー画像３１は、矩形の枠に「球受皿が満杯です！／球を排出して下さい！」というメッセージを表記してなるものであり、演出画像３０の上を覆うように表示される。具体的には、満杯エラー画像３１に係る画像データは、画像制御基板６５の記憶装置ＲＯＭに記憶されており、満杯エラー画像３１を表示する際は、満杯エラー画像３１に係る画像データが記憶装置ＲＯＭから読み出され、該画像データを演出画像３０の画像データと重ね合わせた画像データが画像表示器１４へ出力される。そして、画像制御基板６５は、パルス状の満杯エラー信号を受信した場合には、満杯エラー画像３１を１０秒間表示すると満杯エラー画像３１の表示を停止し、次の満杯エラー信号を受信するまで、画像表示器１４に演出画像３０のみを表示する（図６（ａ）参照）。一方、画像制御基板６５は、間断なく連続する満杯エラー信号を受信した場合は、当該満杯エラー信号が停止するまで、満杯エラー画像３１を表示し続ける。また、画像制御基板６５は、満杯エラー画像３１の表示中に満杯エラー解除信号を受信すると、直ちに満杯エラー画像３１の表示を停止する。
【００４４】
音源制御基板６６は、払出制御基板６４から満杯エラー信号を受信していない状態では、演出制御基板６２から送信される信号にしたがって、スピーカ１６に演出音声を出力させる。一方、音源制御基板６６は、払出制御基板６４から満杯エラー信号を受信すると、満杯エラー音声をスピーカ１６に出力させる。満杯エラー音声は、「球受皿が満杯です！球を排出して下さい！」という音声からなり、演出音声と混合されてスピーカ１６から出力される。具体的には、満杯エラー音声に係る音声データは、音源制御基板６６の記憶装置ＲＯＭに記憶されており、満杯エラー音声を表示する際には、記憶装置ＲＯＭから読み出された満杯エラー音声に係る音声データが、演出音声の音声データと混合されてスピーカ１６に出力される。そして、音源制御基板６６は、パルス状の満杯エラー信号を受信した場合には、演出音声を１回出力させると、次の満杯エラー信号を受信するまで、演出音声のみをスピーカ１６に出力させる。一方、音源制御基板６６は、間断なく連続する満杯エラー信号を受信した場合は、当該満杯エラー信号が停止するまで、満杯エラー音声を繰返し出力し続ける。また、音源制御基板６６は、満杯エラー音声の出力中に満杯エラー解除信号を受信すると、直ちに満杯エラー音声の出力を中止する。
【００４５】
上述のように、本発明に係る満杯エラー報知は、満杯エラー画像３１の表示と、満杯エラー音声の出力の二種類で構成され、これらは払出制御基板６４の満杯エラー信号の送信を契機として実行される。すなわち、本実施例では、図５に示すように、満杯検知センサ２８が下部球受皿８の満杯を検知してから「０秒」，「１２０秒」，「１８０秒」，「２２０秒」，「２６０秒」，「２８０秒」，「３００秒」のタイミングで満杯エラー報知が実行される。このように、下部球受皿８の満杯状態では、満杯検知開始から３００秒間（５分間）、上記報知時間テーブルに設定されたタイミングで、満杯エラー報知が繰返し実行される。
【００４６】
ここで、報知時間テーブルに設定されたタイミングによれば、満杯エラー報知は、一定間隔で実行されず、図５に示すように、１２０秒→６０秒→４０秒→２０秒と、時間間隔が段階的に短くなるように実行される。このように、本実施例では、満杯エラー画像３１の表示間隔や満杯エラー音声の出力間隔が段階的に短くなるよう設定されているから、遊技者は、下部球受皿８が満杯になってもしばらくの間は、比較的満杯エラー報知に煩わされずに遊技演出を楽しむことができる。一方、下部球受皿８の満杯状態が続くと、満杯エラー報知の実行間隔が短くなって演出画像や演出音声を楽しみ難くなっていくから、遊技者が、満杯状態を長期間放置することもなくなる。
【００４７】
また、本実施例では、図５に示すように、満杯検知センサ２８が満杯を検知してから３００秒が経過すると、満杯エラー画像３１が連続表示されるとともに、満杯エラー音声が間断なく繰り返されるため、満杯状態を極めて長期間放置した遊技者に対しては、満杯状態の解消を極めて強い態様で促すことができる。
【００４８】
なお、本実施例では、満杯エラー画像３１が演出画像３０を部分的に覆うようにして表示されているが（図６（ｂ）参照）、本発明に係る満杯エラー画像は、演出画像と重ねずに並列表示してもよいし、また、表示画面全体に表示してもよい。また、本発明に係る満杯エラー音声は、演出音声と異なるスピーカから出力してもよいし、満杯エラー音声の出力中は、演出音声を消音するようにしてもよい。
【実施例２】
【００４９】
本実施例は、上記実施例１から、満杯エラー報知の実行態様を変更し、下記のように、満杯検知センサ２８の満杯検知中の未払出球数の増加に伴って、満杯エラー報知の実行間隔が短くなるよう構成したものである。
未払出球数    ０〜  ９９個  ：１２０秒間隔
未払出球数１００〜１９９個  ：  ６０秒間隔
未払出球数２００〜２９９個  ：  ４０秒間隔
未払出球数３００〜３９９個  ：  ２０秒間隔
未払出球数４００個以上      ：    ０秒間隔（連続して実行）
【００５０】
図７を参照して具体的に説明すると、払出制御基板６４は、まず、満杯検知センサ２８から満杯検知信号を受信すると、未払出球数が１００個に達するまでは１２０秒間隔で満杯エラー信号を送信し、これにより、満杯エラー画像表示や満杯エラー音声出力が１２０秒間隔で実行される。そして、入賞発生により未払出球数が１００個に達すると、払出制御基板６４は満杯エラー信号の送信間隔を６０秒に変更し、これにより、満杯エラー報知が６０秒間隔で実行される。同様にして、払出制御基板６４は、未払出球数が２００個に達すると満杯エラー信号の送信間隔を４０秒に、未払出球数が３００個に達すると送信間隔を２０秒に変更し、これにより、満杯エラー報知の実行間隔が６０秒から４０秒、２０秒と段階的に短縮されていく。そして、未払出球数が４００個を超えると、払出制御基板６４は満杯エラー信号を連続して送信し、これにより、満杯エラー画像表示や満杯エラー音声出力が間断なく実行されることとなる。また、下部球受皿８の満杯状態が解消された場合には、払出制御基板６４は、実施例１と同様に、満杯エラー信号の送信を停止し、満杯エラー解除信号を送信するとともに、払出装置２７を作動させて、未払出球数として蓄積記憶した個数の遊技球の払出しを開始する。
【００５１】
このように、かかる構成では、未払出球数が４００個を超えるまでは、未払出球数の増加に伴って、満杯エラー報知を実行する時間間隔が段階的に短くなる。このため、本実施例にあっても、下部球受皿８が満杯になってからしばらくは、遊技者は、満杯エラー報知に大きく煩わされることなく、遊技演出を楽しむことができ、また、下部球受皿８の満杯状態を長期間放置している遊技者に対しては、満杯状態の解消を強く促すことができる。
【実施例３】
【００５２】
本実施例は、上記実施例１から、満杯エラー報知の実行態様を変更し、下記のように、満杯検知センサ２８の満杯検知中は、未払出球数が下記の個数だけ増加する度に、満杯エラー報知を実行するようにしたものである。
報知回数２回          ：１００個間隔
報知回数３，４回      ：  ５０個間隔
報知回数５，６回      ：  ４０個間隔
報知回数７〜１０回    ：  ３０個間隔
【００５３】
図８を参照して具体的に説明すると、払出制御基板６４は、満杯検知センサ２８から満杯検知信号を受信すると、まず、１回目の満杯エラー信号を送信し、これにより、１回目の満杯エラー報知が実行される。図８において、この時の未払出球数は０個であるため、払出制御基板６４は、未払出球数が１００個になった時（１００個増加した時）に、次の満杯エラー信号を送信し、これにより２回目の満杯エラー報知が実行される。続いて、払出制御基板６４は、未払出球数が１５０個，２００個に達した時、すなわち、未払出球数が５０個増加する度に、３，４回目の満杯エラー報知信号を送信し、これにより、３，４回目の満杯エラー報知が実行される。同様にして、払出制御基板６４は、５，６回目の満杯エラー報知信号を未払出球数が４０個増加する度に送信し、７〜１０回目の満杯エラー報知信号を未払出球数が３０個増加する度に送信することで、５，６回目の満杯エラー報知を４０個間隔で、７〜１０回目の満杯エラー報知を３０個間隔で実行させる。また、払出制御基板６４は、１０回目の満杯エラー検知信号を連続して送信し、これにより、１０回目の満杯エラー報知以降は、満杯状態が解消されるまで、満杯エラー画像表示や満杯エラー音声出力が間断なく繰り返されることとなる。
【００５４】
このように、かかる構成にあっては、満杯エラー報知の実行間隔を規定する未払出球数の増加個数が段階的に小さくなるよう設定されているため、満杯エラー報知が繰り返されるほど、満杯エラー報知の実行間隔が短くなる。したがって、かかる構成にあっても、満杯検知してからしばらくは、遊技者は、満杯エラー報知に大きく煩わされることなく、遊技演出を楽しむことができ、また、下部球受皿８の満杯状態を長期間放置している遊技者に対しては、満杯状態の解消を強く促すことができる。特に、本実施例では、未払出球数が速く増加するほど満杯エラー報知の実行間隔が短くなるため、未払出球数の増加が急激で、下部球受皿８の満杯状態を早急に解消する必要性が高いほど、遊技者に下部球受皿８からの遊技球排出を強く促すことができるという利点がある。
【実施例４】
【００５５】
本実施例は、上記実施例３の構成をさらに変更し、満杯検知センサ２８の満杯検知中は、未払出球数が所定個数に達する度に、満杯エラー報知を実行するようにしたものである。すなわち、上記実施例３では、未払出球数の相対的な増加個数に応じて満杯エラー報知を実行していたのに対し、本実施では、未払出球数の絶対個数に応じて満杯エラー報知を実行する。具体的には、本実施例では、払出制御基板６４が、満杯エラー報知を実行する時の未払出球数を記憶した報知個数テーブルを備え、未払出球数が、当該テーブルに設定された個数に達する度に満杯エラー信号を送信する。
【００５６】
本実施例では、未払出球数がほとんど変化しなければ、満杯検知センサ２８が一時的にＯＦＦとなった場合でも、満杯エラー報知の実行間隔を維持できるという利点がある。すなわち、上記実施例３では、下部球受皿８の満杯中に、遊技球の一時的な挙動や誤作動などによって満杯検知センサ２８が一時的にＯＦＦとなってしまうと、満杯検知センサ２８がＯＮに戻った時に、満杯検知開始時点の長い実行間隔で満杯エラー報知が実行されてしまうこととなる。これに対して、本実施例では、満杯検知センサ２８が一時的にＯＦＦとなった場合でも、未払出球数が変化しなければ、満杯エラー報知の実行間隔を維持しておくことができる。
【００５７】
なお、本発明は、上記実施例の形態に限らず本発明の要旨を逸脱しない範囲内において種々変更を加えることができる。例えば、上記実施例では、満杯エラー画像表示による満杯エラー報知と、満杯エラー音声出力による満杯エラー報知を備え、二種類の満杯エラー報知の夫々について、実行間隔が段階的に短くなるようにしている。しかしながら、本発明は、かかる構成に限られず、二種類の満杯エラー報知のうち、一方の実行間隔のみを段階的に短くする構成も含む。
【符号の説明】
【００５８】
１  パチンコ遊技機
１４  画像表示器
１６  スピーカ
２０，２１  球払出口
２６  球流下樋
２７  払出装置
２８  満杯検知センサ
３０  演出画像
３１  満杯エラー画像
【図１】
0005395849.tif 000002
【図２】
0005395849.tif 000003
【図３】
0005395849.tif 000004
【図４】
0005395849.tif 000005
【図５】
0005395849.tif 000006
【図６】
0005395849.tif 000007
【図７】
0005395849.tif 000008
【図８】
0005395849.tif 000009